(57)【要約】      （修正有）【課題】安価な装着性と密閉性を高めた手袋の提供。【解決手段】手袋基材の上に表面層２０を被覆した多層構造の手袋において、手袋基材に接して、装着時に人の手首部近傍に配置される円形の弾性部材を配置し、該弾性部材は、表面層によって該手袋基材の表面上に固着されたことを特徴とする手袋。【選択図】  図１
0003118077.tif 000002
【実用新案登録請求の範囲】
【請求項１】
手袋基材の上に表面層を被覆した多層構造の手袋において、
手袋基材に接して弾性部材を配置したことを特徴とする手袋。
【請求項２】
該弾性部材は、表面層によって該手袋基材の表面上に固着されたことを特徴とする請求項１に記載の手袋。
【請求項３】
該弾性部材は、該手袋基材の表面又は裏面に縫着されたことを特徴とする請求項１に記載の手袋。
【請求項４】
該弾性部材はリング形状であることを特徴とする請求項１又は請求項２項に記載の手袋。
【請求項５】
該弾性部材は、装着時に人の手首部近傍に配置されるようにしたことを特徴とする請求項１及至請求項４項のうち、いずれか１に記載の手袋。
【考案の詳細な説明】
【技術分野】
【０００１】
本考案は、作業、スポーツ、レジャーなどに使われる手袋に関するもので、特に、二重構造を有する手袋に関するものである。
【背景技術】
【０００２】
従来、織布または編布からなる手袋基材からなる内手袋と、塩ビペーストなどを用いた合成樹脂被膜が塗布された外手袋とを重ね合わせた二重構造の手袋が知られている。
【０００３】
また、それに加えて、内手袋の手元部が外手袋の手首部よりも延出され、この延出部を外側に折り返して第一折り返し部とし、その先端を外手袋の手首部内側に導き、第一折り返し部の先端をさらに外側に折り返して第二折り返し部とし、この第二折り返し部と外手袋の手首部内側とを一体的に縫着した手袋などがある。（特許文献１）
【特許文献１】実開平４−８９５１０号公報
【考案の開示】
【考案が解決しようとする課題】
【０００４】
前述した手袋は、手袋内に冷たい空気が流入するのを阻止したり、ゴミなどの塵埃、砂、木片、雪などが外部から流入し難くすることができる。しかしながら、構造が複雑で簡単に製造できるものではなく、製造コストも高くなってしまった。
【０００５】
本考案は、上記の事情に鑑みてなされたもので、簡単な構成で、装着性に優れ、水や油などの液体、ゴミなどの塵埃、砂、木片、雪などが外部から流入し難い手袋を提供することを目的とする。
【課題を解決するための手段】
【０００６】
前記課題を解決するため請求項１記載の考案にあっては、手袋基材の上に表面層を被覆した多層構造の手袋において、手袋基材に接して弾性部材を配置したことを特徴とするものである。
【０００７】
また、請求項２記載の考案にあっては、該弾性部材は、表面層によって該手袋基材の表面上に固着されたことを特徴とするものである。
【０００８】
また、請求項３記載の考案にあっては、該弾性部材は、該手袋基材の表面又は裏面に縫着されたことを特徴とするものである。
ここで、縫着とは糸などで、それぞれの部材を縫い合わせ固定するという意味で用いる。
【０００９】
また、請求項４記載の考案にあっては、該弾性部材はリング形状であることを特徴とするものである。
【００１０】
また、請求項５記載の考案にあっては、該弾性部材は、装着時に人の手首部近傍に配置されるようにしたことを特徴とするものである。
【考案の効果】
【００１１】
請求項１に記載の考案によれば、弾性部材は手袋基材に接して配置されるため、弾性部材は、水や油などの液体、ゴミなどの塵埃、砂、木片、雪などと直接触れることがない。そのため、弾性部材の劣化と破損を防止できるとともに、弾性部材に上記のような様々な物が付着する汚染を防止できる。
【００１２】
請求項２に記載の考案によれば、簡便に弾性部材を固着できるので、生産性に優れ、大幅に製造コストを低減することができる。
【００１３】
請求項３に記載の考案によれば、手袋基材に弾性部材を縫い付けてあるので、強固に弾性部材を固定することができる。
【００１４】
請求項４に記載の考案によれば、弾性部材をリング形状としているから扱いが容易であり生産性に優れた手袋を製造することができる。
【００１５】
請求項５に記載の考案によれば、手袋の装着時に人の手首部に配置されるからフィット感に優れ、弾性部材と相俟って良好な使い勝手が実現できる。
【考案を実施するための最良の形態】
【００１６】
〔第１実施形態〕
以下、本考案の一実施形態を図に従って説明する。図１及は本考案の手袋の正面図であり、そして、第２図は本考案に用いられる弾性部材の一実施例であり、第３図は本考案に用いられる弾性部材の他の実施例である。また、第４図は第１図のＡ−Ａ‘に沿った断面図であり、第５図は弾性部材の縫着状態を示す断面図である。
【００１７】
本考案の手袋１は、少なくとも手袋基材１０と表面層２０の２層からなる手袋である。
手袋基材１０は繊維製で内側に設けられる部材であり、事前に人の手に合うように親指部１３から小指部１４までそれぞれの指に合わせた形状の指覆い部１５と、手のひらと甲を覆う手のひら部１６が設けられている。そして、それぞれは人の手が挿入できるように指覆い部１５と手のひら部１６の内部が繋がるように作られている。
【００１８】
手袋基材１０の素材としては、エーテル系ポリウレタンの長繊維紡績糸の平編（メリヤス編）の薄手の布地を用いることができる。その他に用いることのできる繊維素材としては、各種天然繊維（例えば麻、綿、絹、毛など）、化学繊維（例えば、レーヨン、アセテート、ナイロン、ポリエステル、アクリル、ポリプロピレンなど）、各種無機繊維（ガラス繊維、炭素繊維、など）がある。
【００１９】
また、手袋基材１０に接して弾性部材３０が設けられる。弾性部材３０は予め手袋基材１０の手首部とほぼ同径かやや小さい径に形成されたリング形状の天然ゴムからなる弾性部材であり、手袋基材１０の外側に接して即ち、手袋基材１０と表面層２０の間に設けられる。
【００２０】
弾性部材３０は、幅が２〜１５ミリ、高さ２ミリ程度のリング形状のゴムであり、リング形状のゴムの内側の平坦面３３と手袋基材１０の表面が接するように、かつ、装着時に人の手の手首部近傍になる位置に配置される。（図１，３）
【００２１】
手袋基材１０の表面に設けられる表面層２０は、天然ゴムを主成分としたゴムラテックス配合の原料液を手袋基材１０の表面に付着させて形成される。
【００２２】
表面層２０の材料としては、合成ゴムを主成分とした原料液などを用いることもできる。また、必要に応じて表面層２０内に突起状の滑り止め部４１を設けることもできる。
【００２３】
上記の構成からなる各部材から、本考案の手袋は以下のようにして製造される。
手袋基材１０の表面かつ手首部近傍に円形の弾性部材３０を装着した状態の手袋に、浸漬法やスプレー法等により表面層２０を付着させ表面層２０を形成する。表面層２０の厚みは０．１〜２ミリ程度とすることができる。手袋基材１０が表面層２０でコーティングされるのと同時に、弾性部材３０も表面層２０によって周囲から包み込んで固着される。弾性部材３０は予めリング形状に形成されているため操作性に優れており、上記のようにして装着性のよい手袋を簡単に製造することができる。
【００２４】
〔第２実施形態〕
図４と図６は第２の実施形態を示している。本実施の形態では、弾性部材３０が一部切り欠いたリング形状となっており、これを帯状に延ばして手袋基材１０に直接縫着させた点が大きな相違点である。
弾性部材３０は、装着時に人の手の手首部近傍になる位置、かつ手袋基材１０の内側又は外側に接するように逢着し形成される。その後、表面部材２０を第一の実施形態と同様に付着させて手袋を形成する。
【００２５】
本実施の形態では、弾性部材３０が手袋基材１０の基材表面１１に接する（表面層から露出しない）位置で強固に固定されるため、弾性部材３０の劣化と破損を防止できるとともに、弾性部材３０に様々な物が付着する汚染を防止することができる。
【００２６】
本考案では、２層構造の例で説明しているが、この２層をベースに内側や外側にそれぞれ層を増やして３層や４層の手袋として実施することができる。
【図面の簡単な説明】
【００２７】
【図１】本考案の手袋の正面図である。
【図２】本考案に用いられる弾性部材の図である。
【図３】同、弾性部材の他の実施例の図である。
【図４】同、第１図のＡ−Ａ‘に沿った断面図である。
【図５】同、弾性部材の縫着状態を示す断面図である。
【符号の説明】
【００２８】
１           手袋
１０       手袋基材（内手袋）
１１       基材表面
１２       基材裏面
１３       親指部
１４    小指部           
１５    指覆い部
１６    手のひら部
２０       表面層（外手袋）
３０       弾性部材
３１       円形ゴム
３２       ゴム
４０       糸
４１       滑り止め部
【図１】
0003118077.tif 000003
【図２】
0003118077.tif 000004
【図３】
0003118077.tif 000005
【図４】
0003118077.tif 000006
【図５】
0003118077.tif 000007